(57)【要約】【課題】ディスクの厚さより突出することなく、ディスクアダプタを装着できるディスク、及びこのディスクを保持するのに適したディスクアダプタを提供すること。【解決手段】ディスク２は、円盤状に成形されたディスクであって、ディスク２の外周面に、凸部又は凹部からなるディスク保持部２１を円周方向に設けたことを特徴とする。【選択図】        図１
2007184042.tif 000002
【特許請求の範囲】
【請求項１】
円盤状に成形されたディスクであって、前記ディスクの外周面に、凸部又は凹部からなるディスク保持部を円周方向に設けたことを特徴とするディスク。
【請求項２】
前記ディスク保持部を、前記外周面の全周に形成したことを特徴とする請求項１に記載のディスク。
【請求項３】
前記外周面の一部に、凸部又は凹部からなる回転防止部を設けたことを特徴とする請求項２に記載のディスク。
【請求項４】
前記ディスク保持部を少なくとも３個設け、それぞれの前記ディスク保持部を等間隔に設けたことを特徴とする請求項１に記載のディスク。
【請求項５】
前記ディスク保持部を、前記外周面の一部に円弧状に少なくとも３個設け、それぞれの前記ディスク保持部を等間隔に配置したことを特徴とする請求項１に記載のディスク。
【請求項６】
請求項１から請求項５のいずれかに記載のディスクを保持するディスクアダプタであって、リング状に形成されたアダプタ本体と、前記アダプタ本体の内周面に形成されたディスク保持受け部とを備え、前記ディスク保持受け部を、円周方向に設けた凹部又は凸部で構成し、前記ディスク保持受け部が前記ディスク保持部と係合することを特徴とするディスクアダプタ。
【請求項７】
前記アダプタ本体の内周面に形成された回転防止受け部を備え、前記回転防止受け部を凹部又は凸部で構成し、前記回転防止受け部が前記回転防止部と係合することを特徴とする請求項６に記載のディスクアダプタ。
【発明の詳細な説明】
【技術分野】
【０００１】
本発明は、ＣＤやＤＶＤなどのディスク、及びこのディスクを保持するディスクアダプタに関する。
【背景技術】
【０００２】
従来のディスクアダプタを図８から図１０に示す（特許文献１）。
図８は同ディスクアダプタの平面図、図９は同ディスクアダプタの要部拡大平面図、図１０は図９のＸ−Ｘ線断面図である。
図８に示すように、従来のディスクアダプタは、リング状に形成されたアダプタ本体１０１の内周に、３つのヒンジ部１１０が等間隔に形成され、それぞれのヒンジ部１１０には、一つの押圧部１２０が形成されている。なお、押圧部１２０には、ディスク１０２の一方の面を支持する表突起１３０が形成されている。また、これらヒンジ部１１０の間には、ディスク１０２の他方の面を支持する裏突起１４０が形成されている。
押圧部１２０は、図９及び図１０に示すように、ディスク１０２の外周に当接し、ヒンジ部１１０による弾性力によってディスク１０２を中心方向に押圧している。
【特許文献１】意匠登録第８７３１６９号公報
【発明の開示】
【発明が解決しようとする課題】
【０００３】
しかし、上記従来のディスクアダプタでは、一方の面には表突起１３０が、他方の面には裏突起１４０が形成されており、これら表突起１３０及び裏突起１４０は、ディスク１０２の厚さよりも突出している。
一方、光ディスク装置では、一般的に、光学レンズを半径及び、フォーカス方向に可動するアクチュエータコイルにより構成されており、ディスク及びピックアップの光学設計により定められた位置でフォーカシング制御が行われ、光学レンズはディスクのデータ面に略一定距離に制御される。
ところが、ディスク及びピックアップの光学設計の組み合わせによっては、フォーカシング時のディスクと光学レンズの距離が近く、最外周付近のデータを再生する際に、この様な突出部に光学レンズ、もしくは光学レンズを保護する目的で光学レンズよりも突出して設けられている光学レンズ保護部材（レンズプロテクタ）がひっかかることにより、アクチュエータコイルを損傷してしまうという問題がある。
また、フォーカシング時に十分な距離が確保可能な光学設計となっているディスクと光学ピックアップとの組み合わせの場合でも、衝撃やディスク上の損傷、多層ディスクの層間移動の失敗などによりフォーカス制御がはずれた場合にも同様の可能性がある。
【０００４】
そこで本発明は、ディスクの厚さより突出することなく、ディスクアダプタを装着できるディスク、及びこのディスクを保持するのに適したディスクアダプタを提供することを目的とする。
【課題を解決するための手段】
【０００５】
請求項１記載の本発明のディスクは、円盤状に成形されたディスクであって、前記ディスクの外周面に、凸部又は凹部からなるディスク保持部を円周方向に設けたことを特徴とする。
請求項２記載の本発明は、請求項１に記載のディスクにおいて、前記ディスク保持部を、前記外周面の全周に形成したことを特徴とする。
請求項３記載の本発明は、請求項２に記載のディスクにおいて、前記外周面の一部に、凸部又は凹部からなる回転防止部を設けたことを特徴とする。
請求項４記載の本発明は、請求項１に記載のディスクにおいて、前記ディスク保持部を少なくとも３個設け、それぞれの前記ディスク保持部を等間隔に設けたことを特徴とする。
請求項５記載の本発明は、請求項１に記載のディスクにおいて、前記ディスク保持部を、前記外周面の一部に円弧状に少なくとも３個設け、それぞれの前記ディスク保持部を等間隔に配置したことを特徴とする。
請求項６記載の本発明のディスクアダプタは、請求項１から請求項５のいずれかに記載のディスクを保持するディスクアダプタであって、リング状に形成されたアダプタ本体と、前記アダプタ本体の内周面に形成されたディスク保持受け部とを備え、前記ディスク保持受け部を、円周方向に設けた凹部又は凸部で構成し、前記ディスク保持受け部が前記ディスク保持部と係合することを特徴とする。
請求項７記載の本発明は、請求項６に記載のディスクアダプタにおいて、前記アダプタ本体の内周面に形成された回転防止受け部を備え、前記回転防止受け部を凹部又は凸部で構成し、前記回転防止受け部が前記回転防止部と係合することを特徴とする。
【発明の効果】
【０００６】
本発明によれば、ディスクアダプタをディスク面から突出させることなく構成することができる。
【発明を実施するための最良の形態】
【０００７】
本発明の第１の実施の形態によるディスクは、ディスクの外周面に、凸部又は凹部からなるディスク保持部を円周方向に設けたものである。本実施の形態によれば、ディスクの外周面にディスク保持部を設けているため、このディスク保持部を用いてディスクアダプタに装着することができるので、ディスクアダプタをディスク面から突出させることなく構成することができる。
本発明の第２の実施の形態は、第１の実施の形態によるディスクにおいて、ディスク保持部を、外周面の全周に形成したものである。本実施の形態によれば、ディスクの外周面の全周にディスク保持部を設けたことで係合範囲が広くなるため、確実にディスクをディスクアダプタに保持できるとともに、ディスクの回転時の偏心を無くすことができる。
本発明の第３の実施の形態は、第２の実施の形態によるディスクにおいて、周面の一部に、凸部又は凹部からなる回転防止部を設けたものである。本実施の形態によれば、ディスクの高回転時においても、ディスクとディスクアダプタとの滑りを無くすことができる。
本発明の第４の実施の形態は、第１の実施の形態によるディスクにおいて、ディスク保持部を少なくとも３個設け、それぞれのディスク保持部を等間隔に設けたものである。本実施の形態によれば、ディスクの回転時の偏心を無くすことができる。
本発明の第５の実施の形態は、第１の実施の形態によるディスクにおいて、ディスク保持部を、外周面の一部に円弧状に少なくとも３個設け、それぞれのディスク保持部を等間隔に配置したものである。本実施の形態によれば、ディスクの高回転時においても、ディスクとディスクアダプタとの滑りを無くすことができるとともに、ディスクの回転時の偏心を無くすことができる。
本発明の第６の実施の形態によるディスクアダプタは、ディスク保持受け部を、円周方向に設けた凹部又は凸部で構成し、ディスク保持受け部がディスク保持部と係合するものである。本実施の形態によれば、ディスクアダプタをディスク面から突出させることなく構成することができる。
本発明の第７の実施の形態は、第６の実施の形態によるディスクアダプタにおいて、回転防止受け部を凹部又は凸部で構成し、回転防止受け部が回転防止部と係合するものである。本実施の形態によれば、ディスクの高回転時においても、ディスクとディスクアダプタとの滑りを無くすことができる。
【実施例１】
【０００８】
以下本発明の一実施例によるディスクとディスクアダプタについて説明する。
図１は本実施例によるディスクをディスクアダプタに装着した状態を示す平面図、図２は同ディスクの平面図、図３は同ディスクアダプタの平面図、図４は図１のＸ−Ｘ線断面図、図５は図１のＹ−Ｙ線断面図である。なお、図中Ｒは、ディスクの標準半径を示している。
図に示すように、本実施例のディスクアダプタは、リング状に形成されたアダプタ本体１の内周に、３つのヒンジ部１０が等間隔に形成され、それぞれのヒンジ部１０には、凸部からなる回転防止受け部３０が形成されている。また、アダプタ本体１の内周面には、円周方向に設けた凸部によってディスク保持受け部１５が形成されている。また、これらヒンジ部１０の間には、ディスク２の他方の面を支持する裏突起４０が形成されている。
ヒンジ部１０は、アダプタ本体１の内周から外周方向に向けて形成された一対の切り込み１１と、この一対の切り込み１１の間に形成された溝１２によって構成されている。従って、ヒンジ部１０は、それぞれの切り込み１１と溝１２の端部との間に形成される連接部１３によってアダプタ本体１と連接されることで、アダプタ本体１に対してヒンジ部１０が弾性変形可能な構成としている。なお、アダプタ本体１に形成された３つのヒンジ部１０は全て同じ構成である。
一方、ディスク２は、ディスク２の外周面２Ａの一部に、３つの円弧状の凹部からなるディスク保持部２１を円周方向に設けている。３つのディスク保持部２１は等間隔に設けている。これら３つのディスク保持部２１は、ディスク保持受け部１５と係合する。また、ディスク２は、ディスク２の外周面２Ａに、３つの凹部からなる回転防止部２２を等間隔に設けている。
【０００９】
なお、本実施例では、ディスク保持部２１を３つの円弧状の凹部によって構成しているため、このディスク保持部２１によってもアダプタ本体１とディスク２との回転時のスリップを防止することができるが、回転防止部２２を設けることで、更に確実にアダプタ本体１とディスク２との回転時のスリップを防止することができる。
また、本実施例では、ディスク保持部２１を複数の円弧状の凹部によって構成したが、ディスク保持部２１を、外周面２Ａの全周に形成してもよい。このように、ディスク保持部２１を、外周面２Ａの全周に形成した場合には、回転防止部２２によって、確実にアダプタ本体１とディスク２との回転時のスリップを防止することができる。なお、回転防止部２２は少なくても１カ所有していればよい。
また、本実施例では、ディスク保持部２１を凹部によって構成し、ディスク保持受け部１５を凸部によって構成したが、ディスク保持部２１を凸部によって構成し、ディスク保持受け部１５を凹部によって構成してもよい。
本実施例によれば、ディスク保持部２１とディスク保持受け部１５とを係合させることで、アダプタ本体１をディスク面から突出させることなく構成することができる。本実施例では、裏突起４０を設けているが、ディスク２のレーザー光入射表面２Ｂを裏突起４０とは異なる面に配置することで、少なくともレーザー光入射表面２Ｂでは、アダプタ本体１をディスク２面よりも突出させないで構成することができる。本実施例では、裏突起４０を設けることで、この裏突起４０とディスク保持受け部１５との間で、ディスク２を挟持できるため、アダプタ本体１へのディスク２の保持を確実にすることができる。
なお、裏突起４０を設けることなく構成することもできる。この裏突起４０を設けないことで、アダプタ本体１をディスク２厚さ以下の厚さで構成することができ、アダプタ本体１に対しディスク２の装着を、表裏いずれをも可能とすることができる。
【実施例２】
【００１０】
次に本発明の他の実施例によるディスクとディスクアダプタについて説明する。
図６は他の実施例によるディスク及びディスクアダプタの断面図であり、図４に相当する。また、図７は更に他の実施例によるディスク及びディスクアダプタの断面図であり、図４に相当する。なお、図６及び図７におけるＲは、ディスクの標準半径を示している。
図６及び図７に示す実施例では、それぞれディスク２の外周面２Ａに段差によって形成される円周方向の凸部によってディスク保持部２１を構成している。また、この段差によって形成される円周方向の凹部に対応して、アダプタ本体１の内周面には、ディスク保持受け部１５を構成している。
図６に示す実施例では、基板２Ｃの一方の面はディスク２の標準半径Ｒで形成するとともに、他方の面はディスク２の標準半径Ｒより小さな半径で形成し、この他方の面に、標準半径Ｒよりも小さな半径の記録層２Ｄとカバー層２Ｅを貼り合わせて形成している。
また、図７に示す実施例では、基板２Ｃの一方の面はディスク２の標準半径Ｒよりも大きな半径で形成するとともに、他方の面はディスク２の標準半径Ｒで形成し、この他方の面に、標準半径Ｒの記録層２Ｄとカバー層２Ｅを貼り合わせて形成している。
【００１１】
図６及び図７に示す実施例においても、図１から図５に示す実施例と同様に、ディスク保持部２１を円周方向に複数形成する場合には、それぞれのディスク保持部２１を等間隔に設ける。また、ディスク保持部２１を、外周面２Ａの全周に形成してもよい。また、特にディスク保持部２１を外周面２Ａの全周に形成した場合には、図示はしないが、上記実施例で説明した回転防止部を設けることが好ましい。なお、本実施例においても、裏突起４０を設けた場合を図示しているが、裏突起４０を設けることなく構成することもできる。
【００１２】
以上のように本実施例によれば、ディスク２の外周面にディスク保持部２１を設け、アダプタ本体１のディスク保持受け部１５と係合させることで、少なくともアダプタ本体１の少なくとも一方の面は、ディスク２面から突出しないように構成することができる。
また、本実施例によれば、ディスク２の外周面の全周にディスク保持部２１を設けることで、アダプタ本体１のディスク保持受け部１５との係合範囲が広くなるため確実にディスク２をディスクアダプタ１に保持できるとともに、ディスク２の回転時の偏心を無くすことができる。
また、本実施例によれば、ディスク２の外周面の一部に、凸部又は凹部からなる回転防止部２２を設けることで、ディスク２の高回転時においても、ディスク２とアダプタ本体１との滑りを無くすことができる。
また、本実施例によれば、回転防止部２２を少なくとも３個設け、それぞれの回転防止部２２を等間隔に設けることで、ディスク２の回転時の偏心を無くすことができる。
また、本実施例によれば、ディスク保持部２１を、外周面２Ａの一部に円弧状に少なくとも３個設け、それぞれのディスク保持部２１を等間隔に配置することで、ディスク２の高回転時においても、ディスク２とアダプタ本体１との滑りを無くすことができるとともに、ディスク２の回転時の偏心を無くすことができる。
【産業上の利用可能性】
【００１３】
本発明のディスク及びディスクアダプタは、特にスリムスロットタイプやハーフハイトドライブの垂直姿勢など、従来では再生不可能であったディスク装置において、８センチディスク及びその再生のためのディスクアダプタとして利用できる。
【図面の簡単な説明】
【００１４】
【図１】本発明の一実施例によるディスクをディスクアダプタに装着した状態を示す平面図
【図２】同ディスクの平面図
【図３】同ディスクアダプタの平面図
【図４】図１のＸ−Ｘ線断面図
【図５】図１のＹ−Ｙ線断面図
【図６】本発明の他の実施例によるディスク及びディスクアダプタの断面図
【図７】本発明の更に他の実施例によるディスク及びディスクアダプタの断面図
【図８】従来のディスクアダプタの平面図
【図９】同ディスクアダプタの要部拡大平面図
【図１０】図９のＸ−Ｘ線断面図
【符号の説明】
【００１５】
１    アダプタ本体
２    ディスク
１０    ヒンジ部
１５    ディスク保持受け部
２１    ディスク保持部
２２    回転防止部
３０    回転防止受け部
【図１】
2007184042.tif 000003
【図２】
2007184042.tif 000004
【図３】
2007184042.tif 000005
【図４】
2007184042.tif 000006
【図５】
2007184042.tif 000007
【図６】
2007184042.tif 000008
【図７】
2007184042.tif 000009
【図８】
2007184042.tif 000010
【図９】
2007184042.tif 000011
【図１０】
2007184042.tif 000012